(57)【特許請求の範囲】
【請求項１】
相互に隣り合って配置され、各々の内部で生成した光を表面側および裏面側の双方から外部に向かって放出し、面方向に対して交差する方向に光が透過可能な、各々が独立の基板を有する第１面発光素子および第２面発光素子と、
前記第１面発光素子および前記第２面発光素子に対して第１の間隔を空けて前記表面側に配置された拡散板と、
前記第１面発光素子および前記第２面発光素子に対して第２の間隔を空けて、前記第１面発光素子の前記裏面側から前記第２面発光素子の前記裏面側に及んで設けられた反射素子とを備える、発光装置。
【請求項２】
相互に隣り合って配置され、各々の内部で生成した光を表面側および裏面側の双方から外部に向かって放出し、面方向に対して交差する方向に光が透過可能な第１面発光素子および第２面発光素子と、
前記第１面発光素子および前記第２面発光素子に対して第１の間隔を空けて前記表面側に配置された拡散板と、
前記第１面発光素子および前記第２面発光素子に対して第２の間隔を空けて、前記第１面発光素子の前記裏面側から前記第２面発光素子の前記裏面側に及んで設けられた反射素子とを備え、
前記第１面発光素子および前記第２面発光素子の各々は、前記表面側に比べて前記裏面側に多く光を放出する、発光装置。
【請求項３】
前記第２の間隔の寸法値は、前記第１面発光素子の発光部と前記第２面発光素子の発光部との間の間隔の寸法値の半分以上である、
請求項１または２に記載の発光装置。
【請求項４】
前記反射素子は、散乱成分を含有する反射散乱素子から構成される、
請求項１から３のいずれかに記載の発光装置。
【発明の詳細な説明】
【技術分野】
【０００１】
本発明は、発光装置に関し、特に、隣り合って配置された複数の面発光素子を備える発光装置に関する。
【背景技術】
【０００２】
近年、有機ＥＬパネル（Organic  Electroluminescence  Panel）などの面発光素子を用いた発光効率の高い発光装置が注目を集めている。このような発光装置は、照明分野に限られず、液晶テレビ、計算機モニター、または、屋外広告などの各種電子機器のバックライト等としても用いられている。
【０００３】
特開２００９−２１１８８５号公報（特許文献１）には、有機ＥＬ装置に関する発明が開示されている。同公報は、この有機ＥＬ装置によれば、有機発光層から達する光が少ない非発光領域から取り出される光と、有機発光層からの光が多く達する発光領域の光取出面から取り出される光との差を制御することができると述べている。
【０００４】
特開２０１０−１５７５１５号公報（特許文献２）には、有機ＥＬ光源装置に関する発明が開示されている。同公報は、この有機ＥＬ光源装置によれば、高い光取り出し効率を得ることができると述べている。
【先行技術文献】
【特許文献】
【０００５】
【特許文献１】特開２００９−２１１８８５号公報
【特許文献２】特開２０１０−１５７５１５号公報
【発明の概要】
【発明が解決しようとする課題】
【０００６】
有機ＥＬパネルなどの面発光素子においては、発光部に電力を供給するための電極取り出し部、または、発光部を封止する封止部材などが、その面発光素子の外周に設けられる場合がある。この場合、発光部で生成された光が主として出射される発光領域は、面発光素子の光放射面の中央側に形成される。
【０００７】
一方、光放射面における発光領域の外周には、電極取り出し部または封止部材等に対応するように、非発光領域が形成される。非発光領域においては、発光領域に比べて光が取り出されにくい。複数の面発光素子が隣り合って配置される発光装置の光放射面の全体としては、個々の面発光素子における非発光領域の存在に起因して、輝度むらが生じやすい。光放射面側に拡散板を設けて、その拡散板と光放射面との間の間隔を十分に確保した場合、輝度むらは低減されるが、発光装置としての薄型を実現することは困難となる。
【０００８】
本発明は、このような実情に鑑みてなされたものであって、輝度むらを低減しながら薄型化を図ることが可能な発光装置を提供することを目的とする。
【課題を解決するための手段】
【０００９】
本発明のある局面に基づく発光装置は、互に隣り合って配置され、各々の内部で生成した光を表面側および裏面側の双方から外部に向かって放出し、面方向に対して交差する方向に光が透過可能な、各々が独立の基板を有する第１面発光素子および第２面発光素子と、上記第１面発光素子および上記第２面発光素子に対して第１の間隔を空けて上記表面側に配置された拡散板と、上記第１面発光素子および上記第２面発光素子に対して第２の間隔を空けて、上記第１面発光素子の上記裏面側から上記第２面発光素子の上記裏面側に及んで設けられた反射素子とを備える。
本発明の他の局面に基づく発光装置は、互に隣り合って配置され、各々の内部で生成した光を表面側および裏面側の双方から外部に向かって放出し、面方向に対して交差する方向に光が透過可能な第１面発光素子および第２面発光素子と、上記第１面発光素子および上記第２面発光素子に対して第１の間隔を空けて上記表面側に配置された拡散板と、上記第１面発光素子および上記第２面発光素子に対して第２の間隔を空けて、上記第１面発光素子の上記裏面側から上記第２面発光素子の上記裏面側に及んで設けられた反射素子とを備え、上記第１面発光素子および上記第２面発光素子の各々は、上記表面側に比べて上記裏面側に多く光を放出する。
【００１０】
好ましくは、上記第２の間隔の寸法値は、上記第１面発光素子の発光部と上記第２面発光素子の発光部との間の間隔の寸法値の半分以上である。好ましくは、上記反射素子は、散乱成分を含有する反射散乱素子から構成される。
【発明の効果】
【００１１】
本発明によれば、輝度むらを低減しながら薄型化を図ることが可能な発光装置を得ることができる。
【図面の簡単な説明】
【００１２】
【図１】実施の形態における発光装置を示す断面図である。
【図２】実施の形態における発光装置に用いられる面発光素子を示す断面図である。
【図３】実施の形態における発光装置に用いられる面発光素子が発光している様子を模式的に示す断面図である。
【図４】（Ａ）は、実施の形態における発光装置に用いられる面発光素子から放射された光の広がりを模式的に示す図である。（Ｂ）は、実施の形態における発光装置に用いられる面発光素子が配列されている方向上の位置と、面発光素子から放射された光の強度との関係を示すグラフである。
【図５】（Ａ）は、比較例における発光装置に用いられる面発光素子から放射された光の広がりを模式的に示す図である。（Ｂ）は、比較例における発光装置に用いられる面発光素子が配列されている方向上の位置と、面発光素子から放射された光の強度との関係を示すグラフである。
【図６】比較例の変形例における発光装置に用いられる面発光素子から放射された光の広がりを模式的に示す図である。
【図７】実施の形態に関して行なった実験例の結果を示す図である。
【発明を実施するための形態】
【００１３】
本発明に基づいた実施の形態および各実施例について、以下、図面を参照しながら説明する。実施の形態および各実施例の説明において、個数、量などに言及する場合、特に記載がある場合を除き、本発明の範囲は必ずしもその個数、量などに限定されない。実施の形態および各実施例の説明において、同一の部品、相当部品に対しては、同一の参照番号を付し、重複する説明は繰り返さない場合がある。
【００１４】
（発光装置１００）
図１に示すように、実施の形態における発光装置１００は、面発光素子１０（第１面発光素子）、面発光素子２０（第２面発光素子）、拡散板３０、および、反射素子４０を備える。
【００１５】
面発光素子１０および面発光素子２０は、平面状の形状を有している。本実施の形態における面発光素子１０，２０は、所定の厚さＴ１を有し、有機ＥＬ（Organic  Electroluminescence）からそれぞれ構成される。面発光素子１０および面発光素子２０は、発光装置１００の内部において相互に隣り合うように平面状（同一平面上）に並べられている。発光装置１００は、面状（平面状または曲面状）に並べられた３以上の面発光素子を備えていてもよい。
【００１６】
面発光素子１０は、表面１６および裏面１７を含み、有機層１３（発光部）が内部に設けられている。面発光素子２０は、表面２６および裏面２７を含み、有機層２３（発光部）が内部に設けられている。有機層１３および有機層２３の間には間隔Ｌ３が設けられ、有機層１３および有機層２３の間には非発光領域Ｒ３０が形成されている。
【００１７】
拡散板３０は、表面３１および裏面３２を含み、所定の厚さＴ２を有している。拡散板３０は、面発光素子１０，２０の表面１６，２６側に配置され、拡散板３０と面発光素子１０，２０の表面１６，２６との間には間隔Ｌ１（第１の間隔）が設けられている。拡散板３０は、図示しない筺体などによって、面発光素子１０，２０に対して平行な位置関係となるように固定されている。
【００１８】
反射素子４０は、反射面４１を含み、所定の厚さＴ３を有している。反射素子４０は、面発光素子１０，２０の裏面１７，２７側に配置され、反射素子４０と面発光素子１０，２０の裏面１７，２７との間には間隔Ｌ２（第２の間隔）が設けられている。
【００１９】
反射素子４０は、面発光素子１０の裏面１７側から面発光素子２０の裏面２７側に及ぶように延在している。換言すると、反射素子４０は、非発光領域Ｒ３０に対して間隔を空けながら非発光領域Ｒ３０を裏面１７，２７側から覆うように設けられ、面発光素子１０，２０に対して平行な位置関係となるように固定されている。
【００２０】
面発光素子１０、面発光素子２０、拡散板３０、および反射素子４０は、図示しない筺体によって固定され、発光装置１００として一体化されている。発光装置１００の厚さＨは、拡散板３０の厚さＴ２、間隔Ｌ１、面発光素子１０，２０の厚さＴ１、間隔Ｌ２、および、面発光素子２０の厚さＴ３を合算することによって得られる値となる。
【００２１】
（面発光素子１０，２０）
図２を参照して、面発光素子１０，２０について説明する。図２において、括弧書きで示される参照符号については、面発光素子２０に対応するものである。上述のとおり、面発光素子１０は、有機ＥＬを含む発光手段である。面発光素子１０は、透明基板１１（カバー層）、陽極１２、有機層１３、陰極１４、および封止部材１５を含む。陽極１２、有機層１３、陰極１４、および封止部材１５は、いずれも透明性を有する物質から構成され、表面１６側から裏面１７側に向かって透明基板１１上に順次積層される。
【００２２】
具体的には、透明基板１１は、たとえば各種のガラス基板から構成される。面発光素子１０の表面１６は、透明基板１１の表面に対応している。陽極１２は、透明性を有する導電膜である。陽極１２は、ＩＴＯ（Indium  Tin  Oxide：インジウム錫酸化物）等が透明基板１１上に成膜されることにより形成される。
【００２３】
有機層１３（発光部）は、透明性を有する物質から形成され、電力が供給されることによって光（可視光）を生成することができる。有機層１３は、単層の発光層から構成されていてもよく、正孔輸送層、発光層、正孔阻止層、および電子輸送層などが順次積層されることによって構成されていてもよい。陰極１４は、陽極１２と同様に、透明性を有する導電膜である。陰極１４は、ＩＴＯ（Indium  Tin  Oxide：インジウム錫酸化物）等が有機層１３上に成膜されることにより形成される。
【００２４】
封止部材１５は、絶縁性および透明性を有するガラス基板などから構成される。封止部材１５は、有機層１３を水分等から保護するために形成される。封止部材１５は、陽極１２、有機層１３、および陰極１４などの面発光素子１０の内部に設けられる部材の略全体を透明基板１１上に封止する。
【００２５】
以上のように構成される面発光素子１０においては、有機層１３等が透明基板１１に比べて幅狭に構成され、表面１６には、有機層１３が形成されている領域に対応して発光領域Ｒ１１が形成され、その外周に非発光領域Ｒ１３が形成される。面発光素子１０の裏面１７には、有機層１３が形成されている領域に対応して発光領域Ｒ１２が形成される。
【００２６】
面発光素子１０は、内部（有機層１３）で生成した光を表面１６側から外部に向かって放射するとともに（矢印ＡＲ１１参照）、裏面１７側からも外部に向かって放射する（矢印ＡＲ１２参照）。さらに、面発光素子１０においては、透明基板１１、陽極１２、有機層１３、および陰極１４のすべてが透明性を有する物質から形成されており、面発光素子１０は、面方向に対して交差する方向に沿って入射した光が面発光素子１０を透過可能に構成されている。
【００２７】
本実施の形態における面発光素子２０は、面発光素子１０と同一の構成を有している。すなわち、面発光素子２０は、有機ＥＬを含む発光手段である。面発光素子２０は、透明基板２１（カバー層）、陽極２２、有機層２３、陰極２４、および封止部材２５を含む。陽極２２、有機層２３、陰極２４、および封止部材２５は、いずれも透明性を有する物質から構成され、表面２６側から裏面２７側に向かって透明基板２１上に順次積層される。
【００２８】
透明基板２１は、たとえば各種のガラス基板から構成される。面発光素子２０の表面２６は、透明基板２１の表面に対応している。陽極２２は、透明性を有する導電膜である。陽極２２は、等が透明基板２１上に成膜されることにより形成される。
【００２９】
有機層２３（発光部）は、透明性を有する物質から形成され、電力が供給されることによって光（可視光）を生成することができる。有機層２３は、単層の発光層から構成されていてもよく、正孔輸送層、発光層、正孔阻止層、および電子輸送層などが順次積層されることによって構成されていてもよい。陰極２４は、陽極２２と同様に、透明性を有する導電膜である。陰極２４は、ＩＴＯ等が有機層２３上に成膜されることにより形成される。
【００３０】
封止部材２５は、絶縁性および透明性を有するガラス基板などから構成される。封止部材２５は、有機層２３を水分等から保護するために形成される。封止部材２５は、陽極２２、有機層２３、および陰極２４などの面発光素子２０の内部に設けられる部材の略全体を透明基板２１上に封止する。
【００３１】
以上のように構成される面発光素子２０においては、有機層２３等が透明基板２１に比べて幅狭に構成され、表面２６には、有機層２３が形成されている領域に対応して発光領域Ｒ２１が形成され、その外周に非発光領域Ｒ２３が形成される。面発光素子２０の裏面２７には、有機層２３が形成されている領域に対応して発光領域Ｒ２２が形成される。
【００３２】
面発光素子２０は、内部（有機層２３）で生成した光を表面２６側から外部に向かって放射するとともに（矢印ＡＲ２１参照）、裏面２７側からも外部に向かって放射する（矢印ＡＲ２２参照）。さらに、面発光素子２０においては、透明基板２１、陽極２２、有機層２３、および陰極２４が透明性を有する物質から形成されており、面発光素子２０は、面方向に対して交差する方向に沿って入射した光が面発光素子２０を透過可能に構成されている。
【００３３】
図１においては、図示上および説明上の便宜のため、面発光素子１０については透明基板１１および有機層１３のみを記載しているが、面発光素子１０は、実際には、図２に示すように、透明基板１１、陽極１２、有機層１３、陰極１４、および封止部材１５から構成されるものである。同様に、図１においては、面発光素子２０については透明基板２１および有機層２３のみを記載しているが、面発光素子２０は、実際には、図２に示すように、透明基板２１、陽極２２、有機層２３、陰極２４、および封止部材２５から構成されるものである。
【００３４】
（作用・効果）
図３および図４を参照して、発光装置１００の作用および効果について説明する。図３は、発光装置１００の面発光素子１０および面発光素子２０が発光している様子を模式的に示す断面図である。図４（Ａ）は、面発光素子１０および面発光素子２０からそれぞれ放射された光の広がりを模式的に示す図である。図４（Ｂ）は、面発光素子１０および面発光素子２０が配列されている方向（Ｘ方向）上の位置と、面発光素子１０，２０から放射された光の強度との関係を示すグラフである。
【００３５】
図３および図４（Ａ）に示すように、面発光素子１０は、表面１６側および裏面１７側の双方から光を放射する。表面１６側から放射された光（図３中の矢印ＡＲ１１参照）の多くは、間隔Ｌ１の分だけ移動し、拡散板３０に到達する。表面１６側から放射されたこの光は、図４（Ａ）中の領域Ａ１１に示すような光の広がりを持って拡散板３０（図４中において図示せず）に到達する。拡散板３０に到達した光は、裏面３２側から拡散板３０に入射した後、表面３１から拡散板３０の外部に向かって拡散された状態で放射される。
【００３６】
裏面１７から放射された光の一部（図３中の矢印ＡＲ１２ａ）は、間隔Ｌ２の分だけ移動し、反射素子４０の反射面４１に到達する。裏面１７側から放射されたこの光は、図４中の領域Ａ１２に示すような光の広がりを持って、反射素子４０の反射面４１に到達する。反射面４１で反射した光は、間隔Ｌ２の分だけ移動し、面発光素子１０を透過する。面発光素子１０を透過した光は、間隔Ｌ１の分だけ移動し、拡散板３０に到達する。反射面４１で反射した光は、図４中の領域Ａ１３に示すような光の広がりを持って、拡散板３０に到達する。拡散板３０に到達した光は、裏面３２側から拡散板３０に入射した後、表面３１から拡散板３０の外部に向かって拡散された状態で放射される。
【００３７】
裏面１７から放射された光の他の一部（図３中の矢印ＡＲ１２ｂ）は、間隔Ｌ２の分だけ移動し、反射素子４０の反射面４１に到達する。裏面１７側から放射されたこの光も、図４中の領域Ａ１２に示すような光の広がりを持って、反射素子４０の反射面４１に到達する。反射面４１で反射した光は、図４中の領域Ａ１３に示すように広がりながら間隔Ｌ２の分だけ移動し、非発光領域Ｒ３０内に位置する面発光素子１０の透明基板１１を透過したり、面発光素子１０，２０間を通過したりする。その後、これらの光は、図４中の領域Ａ１３に示すように間隔Ｌ１の分だけ移動し、拡散板３０に到達する。拡散板３０に到達した光は、裏面３２側から拡散板３０に入射した後、表面３１から拡散板３０の外部に向かって拡散された状態で放射される。
【００３８】
面発光素子２０についても同様に、面発光素子２０は、表面２６側および裏面２７側の双方から光を放射する。表面２６側から放射された光（図３中の矢印ＡＲ２１参照）の多くは、間隔Ｌ１の分だけ移動し、拡散板３０に到達する。表面２６側から放射されたこの光は、図４（Ａ）中の領域Ａ２１に示すような光の広がりを持って拡散板３０（図４中において図示せず）に到達する。拡散板３０に到達した光は、裏面３２側から拡散板３０に入射した後、表面３１から拡散板３０の外部に向かって拡散された状態で放射される。
【００３９】
裏面２７から放射された光の一部（図３中の矢印ＡＲ２２ａ）は、間隔Ｌ２の分だけ移動し、反射素子４０の反射面４１に到達する。裏面２７側から放射されたこの光は、図４中の領域Ａ２２に示すような光の広がりを持って、反射素子４０の反射面４１に到達する。反射面４１で反射した光は、間隔Ｌ２の分だけ移動し、面発光素子２０を透過する。面発光素子２０を透過した光は、間隔Ｌ１の分だけ移動し、拡散板３０に到達する。反射面４１で反射したこの光は、図４中の領域Ａ２３に示すような光の広がりを持って、拡散板３０に到達する。拡散板３０に到達した光は、裏面３２側から拡散板３０に入射した後、表面３１から拡散板３０の外部に向かって拡散された状態で放射される。
【００４０】
裏面２７から放射された光の他の一部（図３中の矢印ＡＲ２２ｂ）は、間隔Ｌ２の分だけ移動し、反射素子４０の反射面４１で反射する。裏面２７側から放射されたこの光も、図４中の領域Ａ２２に示すような光の広がりを持って、反射素子４０の反射面４１に到達する。反射面４１で反射した光は、図４中の領域Ａ２３に示すように広がりながら間隔Ｌ２の分だけ移動し、非発光領域Ｒ３０内に位置する面発光素子２０の透明基板２１を透過したり、面発光素子１０，２０間を通過したりする。その後、これらの光は、図４中の領域Ａ２３に示すように広がりながら間隔Ｌ１の分だけ移動し、拡散板３０に到達する。拡散板３０に到達した光は、裏面３２側から拡散板３０に入射した後、表面３１から拡散板３０の外部に向かって拡散された状態で放射される。
【００４１】
図４（Ｂ）中の光強度線ｄは、図４（Ａ）におけるＤ−Ｄ線に沿った断面における光の強度分布を示している。Ｄ−Ｄ線は、面発光素子１０，２０の表面１６，２６の極近傍に位置しており、表面１６，２６側から放射された直後の光の強度分布を示している。なお、光強度線ｄは、領域Ａ１１，Ａ２１に示す光の強度分布のみを示している。
【００４２】
図４（Ｂ）中の光強度線ｅは、図４（Ａ）におけるＥ−Ｅ線に沿った断面における光の強度分布を示している。Ｅ−Ｅ線は、面発光素子１０，２０の表面１６，２６から間隔Ｌ１だけ離れたところに位置している。図４（Ｂ）中の光強度線ｅは、同図中の光強度線ｅ１および光強度線ｅ２を合算したものであり、光強度線ｅ１は領域Ａ１１，Ａ２１に示す光（表面１６，２６から拡散板３０に直接到達する光）のＥ−Ｅ線上における光の強度分布を示しており、光強度線ｅ２は領域Ａ１３，Ａ２３に示す光（裏面１７，２７から放射され、反射素子４０で反射し、面発光素子１０，２０を透過した後に拡散板３０に到達する光）のＥ−Ｅ線上における光の強度分布を示している。
【００４３】
図４（Ａ）および図４（Ｂ）を参照して、面発光素子１０，２０の表面１６，２６から放射される光に着目すると、この光は、図４（Ａ）中の領域Ａ１１，Ａ２１に示すように広がり、表面１６，２６から間隔Ｌ１の距離分だけ離れたＥ−Ｅ線の位置においては、図４（Ｂ）中の光強度線ｅ１に示すような強度分布を有することになる。
【００４４】
一方、面発光素子１０，２０の裏面１７，２７から放射される光に着目すると、この光は、図４（Ａ）中の領域Ａ１２，Ａ２２に示すように広がりながら、反射素子４０の反射面４１に到達する。反射素子４０の反射面４１で反射した光は、図４（Ａ）中の領域Ａ１３，Ａ２３に示すように広がりながら、面発光素子１０，２０を透過したり、面発光素子１０，２０間の隙間を通過したりして、表面１６，２６から間隔Ｌ１の距離分だけ離れたＥ−Ｅ線の位置においては、図４（Ｂ）中の光強度線ｅ２に示すような強度分布を有することになる。
【００４５】
面発光素子１０，２０から放射された後に拡散板３０に到達するまでの実効的な距離は、領域Ａ１２，Ａ２２，Ａ１３，Ａ２３に示す光の方が、領域Ａ１１，Ａ２１に示す光よりも長い。したがって、領域Ａ１２，Ａ２２，Ａ１３，Ａ２３に示す光の光強度線ｅ２は、領域Ａ１１，Ａ２１に示す光の光強度線ｅ１に比べて均一な光強度分布を持つことになる。面発光素子１０，２０においては、光強度線ｅ１，ｅ２を合算したものが実際の光強度線ｅとなる。
【００４６】
（比較例）
図５（Ａ）および図５（Ｂ）を参照して、実施の形態における発光装置１００に対する比較例について説明する。比較例における発光装置２００は、発光装置１００と同様に面発光素子１０ｚ，２０ｚを備えるが、面発光素子１０ｚ，２０ｚの有機層１３ｚ，２３ｚは、表面側にのみ発光し、反射素子４０を備えていない。
【００４７】
図５（Ａ）は、面発光素子１０ｚおよび面発光素子２０ｚからそれぞれ放射された光の広がりを模式的に示す図である。図５（Ｂ）は、面発光素子１０ｚおよび面発光素子２０ｚが配列されている方向（Ｘ方向）上の位置と、面発光素子１０ｚ，２０ｚから放射された光の強度との関係を示すグラフである。
【００４８】
図５（Ａ）を参照して、面発光素子１０ｚの有機層１３ｚで生成され、表面側から放射された光は、領域Ｚ１１に示すような光の広がりを持って拡散板３０（図５中において図示せず）に到達する。同様に、面発光素子２０ｚの有機層２３ｚで生成され、表面側から放射された光は、領域Ｚ２１に示すような光の広がりを持って拡散板３０（図５中において図示せず）に到達する。
【００４９】
図５（Ｂ）中の光強度線ｄｚは、図５（Ａ）におけるＤ−Ｄ線に沿った断面における光の強度分布を示している。Ｄ−Ｄ線は、面発光素子１０ｚ，２０ｚの表面の極近傍に位置しており、表面側から放射された直後の光の強度分布を示している。
【００５０】
図５（Ｂ）中の光強度線ｅｚは、図５（Ａ）におけるＥ−Ｅ線に沿った断面における光の強度分布を示している。Ｅ−Ｅ線は、面発光素子１０ｚ，２０ｚの表面から間隔Ｌ１だけ離れたところに位置している。
【００５１】
図５（Ａ）および図５（Ｂ）を参照して、面発光素子１０ｚ，２０ｚの表面から放射された光は、図５（Ａ）中の領域Ｚ１１，Ｚ２１に示すように広がり、表面から間隔Ｌ１の距離分だけ離れたＥ−Ｅ線の位置においては、図５（Ｂ）中の光強度線ｅｚに示すような強度分布を有することになる。
【００５２】
（実施の形態と比較例との対比）
図４（Ｂ）中の光強度線ｅと図５（Ｂ）中の光強度線ｅｚとを対比すると、強度分布としては、光強度線ｅは光強度線ｅｚに比べて高い均一性が得られている。これは、光強度線ｅを有する光の中には、面発光素子１０，２０から放射され反射素子４０に反射して拡散板３０に到達する光（領域Ａ１２，Ａ２２，Ａ１３，Ａ２３に示す光）の成分、すなわち、その光の移動距離（Ｌ２＋Ｌ２＋Ｌ１の分）に応じて光強度分布の均一性が高くなった光の成分（光強度線ｅ２を有する光）が含まれているからである。
【００５３】
図６に示す発光装置３００ように、仮に、比較例の発光装置２００における拡散板３０の位置を、面発光素子１０，２０の表面からＬ１＋Ｌ２の位置に配置したとする。発光装置３００のＦ−Ｆ線上における光の強度分布は、発光装置２００のＥ−Ｅ線上における光の強度分布に比べて均一となる。発光装置３００としての厚さは、実施の形態における発光装置１００の厚さＨと略同一となる。
【００５４】
しかしながら、本実施の形態の発光装置１００の光強度線ｅ２の強度分布の方が、発光装置３００のそれに比べて高い均一性が得られることになる。上述のとおり、発光装置１００においては、光強度線ｅを有する光の中には、面発光素子１０，２０から放射され反射素子４０に反射して拡散板３０に到達する光（領域Ａ１２，Ａ２２，Ａ１３，Ａ２３に示す光）の成分、すなわち、その光の移動距離（Ｌ２＋Ｌ２＋Ｌ１の分）に応じて光強度分布の均一性が高くなった光の成分（光強度線ｅ２を有する光）が含まれている。
【００５５】
本実施の形態の発光装置１００の光強度線ｅの方が、発光装置３００の表面側から放射され距離Ｌ１＋Ｌ２の分だけ移動してＦ−Ｆ線に到達した光の強度分布に比べて均一性が高い。したがって、発光装置１００によれば、同一の厚さを有する発光装置３００に比べて高い均一性を有する光強度分布を得ることができ、輝度むらを低減しながら薄型化を図ることが可能である。
【００５６】
図１を再び参照して、間隔Ｌ２（第２の間隔）の寸法値は、面発光素子１０の有機層１３と面発光素子２０の有機層２３との間の間隔Ｌ３の寸法値の半分以上であるとよい。当該構成によれば、面発光素子１０，２０の裏面１７，２７から放射された光の多くが、非発光領域Ｒ３０を通過することとなり、発光領域を通過するときに生じ得る透明電極または発光層などの光吸収損失の発生が抑制され、輝度むらの発生をより一層低減することができ、発光装置１００としてのさらなる薄型化を図ることが可能となる。
【００５７】
また、面発光素子１０および面発光素子２０の各々は、表面１６，２６に比べて裏面１７，２７に多く光を放出するように構成されるとよい。面発光素子１０，２０から放射され反射素子４０に反射して拡散板３０に到達する光（領域Ａ１２，Ａ２２，Ａ１３，Ａ２３に示す光）の成分、すなわち、その光の移動距離（Ｌ２＋Ｌ２＋Ｌ１の分）に応じて光強度分布の均一性が高くなった光の成分（光強度線ｅ２を有する光）が多くなり、輝度むらの発生をより一層低減することができ、発光装置１００としてのさらなる薄型化を図ることが可能となる。
【００５８】
また、反射素子４０の反射面４１は、一般的な高効率反射板のような鏡面状を有していてもよく、高効率な反射拡散性を有していてもよい。反射素子４０が散乱成分を含有する反射散乱素子から構成されている場合、面発光素子１０，２０の裏面１７，２７から放射された光のより多くが、非発光領域Ｒ３０を通過することとなり、輝度むらの発生をより一層低減することができ、発光装置１００としてのさらなる薄型化を図ることが可能となる。
【００５９】
（実験例）
図７を参照して、上述の実施の形態および比較例に関して行った実験例について説明する。上述の比較例における発光装置２００（図５参照）を実際に作製した。この発光装置２００に用いられる面発光素子１０，２０は、表面１６側にのみ透明性を有しており且つ表面１６側のみが発光する、いわゆる片面発光型である。表面１６から所定の距離で一定の光強度分布を得るように構成し、この発光装置の厚みの指標値であるＬ１＋Ｌ２の値を測定したところ、４２ｍｍであった。
【００６０】
実施例１として、上述の実施の形態における発光装置１００（図１参照）を実際に作製した。実施例１で用いた面発光素子１０，２０は、全体が透明性を有し、表面１６，２６および裏面１７，２７の双方が発光する、いわゆる透明両面発光型である。実施例１で用いた面発光素子１０，２０は、表面１６，２６側に２０％発光し、裏面１７，２７側に８０％発光する。反射素子としては、散乱反射性を有しているものを用いた。上記の比較例と同様に表面１６から所定の距離で一定の光強度分布を得るように構成し、この発光装置の厚みの指標値であるＬ１＋Ｌ２の値を測定したところ、２４ｍｍであった。
【００６１】
実施例２として、上述の実施の形態における発光装置１００（図１参照）を実際に作製した。実施例２で用いた面発光素子１０，２０は、全体が透明性を有し、表面１６，２６および裏面１７，２７の双方が発光する、いわゆる透明両面発光型である。実施例２で用いた面発光素子１０，２０は、表面１６，２６側に２０％発光し、裏面１７，２７側に８０％発光する。反射素子としては、鏡面反射性を有しているものを用いた。上記の比較例と同様に表面１６から所定の距離で一定の光強度分布を得るように構成し、この発光装置の厚みの指標値であるＬ１＋Ｌ２の値を測定したところ、２８ｍｍであった。
【００６２】
実施例３として、上述の実施の形態における発光装置１００（図１参照）を実際に作製した。実施例３で用いた面発光素子１０，２０は、全体が透明性を有し、表面１６，２６および裏面１７，２７の双方が発光する、いわゆる透明両面発光型である。実施例３で用いた面発光素子１０，２０は、表面１６，２６側に５０％発光し、裏面１７，２７側に５０％発光する。反射素子としては、散乱反射性を有しているものを用いた。上記の比較例と同様に表面１６から所定の距離で一定の光強度分布を得るように構成し、この発光装置の厚みの指標値であるＬ１＋Ｌ２の値を測定したところ、３２ｍｍであった。
【００６３】
実施例４として、上述の実施の形態における発光装置１００（図１参照）を実際に作製した。実施例４で用いた面発光素子１０，２０は、全体が透明性を有し、表面１６，２６および裏面１７，２７の双方が発光する、いわゆる透明両面発光型である。実施例４で用いた面発光素子１０，２０は、表面１６，２６側に５０％発光し、裏面１７，２７側に５０％発光する。反射素子としては、鏡面反射性を有しているものを用いた。上記の比較例と同様に表面１６から所定の距離で一定の光強度分布を得るように構成し、この発光装置の厚みの指標値であるＬ１＋Ｌ２の値を測定したところ、３５ｍｍであった。
【００６４】
実施例５として、上述の実施の形態における発光装置１００（図１参照）を実際に作製した。実施例５で用いた面発光素子１０，２０は、全体が透明性を有し、表面１６，２６および裏面１７，２７の双方が発光する、いわゆる透明両面発光型である。実施例５で用いた面発光素子１０，２０は、表面１６，２６側に８０％発光し、裏面１７，２７側に２０％発光する。反射素子としては、散乱反射性を有しているものを用いた。上記の比較例と同様に表面１６から所定の距離で一定の光強度分布を得るように構成し、この発光装置の厚みの指標値であるＬ１＋Ｌ２の値を測定したところ、３８ｍｍであった。
【００６５】
実施例６として、上述の実施の形態における発光装置１００（図１参照）を実際に作製した。実施例６で用いた面発光素子１０，２０は、全体が透明性を有し、表面１６，２６および裏面１７，２７の双方が発光する、いわゆる透明両面発光型である。実施例６で用いた面発光素子１０，２０は、表面１６，２６側に８０％発光し、裏面１７，２７側に２０％発光する。反射素子としては、鏡面反射性を有しているものを用いた。上記の比較例と同様に表面１６から所定の距離で一定の光強度分布を得るように構成し、この発光装置の厚みの指標値であるＬ１＋Ｌ２の値を測定したところ、４０ｍｍであった。
【００６６】
上述の結果から、実施例１〜６の発光装置は、これらと光強度分布が略同一の均一性を有する比較例の発光装置に比べて薄型化が実現できていることがわかる。また、実施例１〜６の中では、裏面１７，２７側に高い発光割合を有し、且つ、反射素子４０に散乱反射性を有している実施例１の発光装置が、もっとも薄型化を実現できていることがわかる。
【００６７】
以上、本発明に基づいた実施の形態および各実施例について説明したが、今回開示された実施の形態および各実施例はすべての点で例示であって制限的なものではない。本発明の技術的範囲は特許請求の範囲によって示され、特許請求の範囲と均等の意味および範囲内でのすべての変更が含まれることが意図される。
【符号の説明】
【００６８】
１０，１０ｚ，２０，２０ｚ  面発光素子、１１，２１  透明基板、１２，２２  陽極、１３，１３ｚ，２３，２３ｚ  有機層、１４，２４  陰極、１５，２５  封止部材、１６，２６，３１  表面、１７，２７，３２  裏面、３０  拡散板、４０  反射素子、４１  反射面、１００，２００，３００  発光装置、Ａ１１，Ａ１２，Ａ１３，Ａ２１，Ａ２２，Ａ２３，Ｚ１１，Ｚ２１  領域、ＡＲ１１，ＡＲ１２，ＡＲ１２ａ，ＡＲ１２ｂ，ＡＲ２１，ＡＲ２２，ＡＲ２２ａ，ＡＲ２２ｂ  矢印、Ｈ，Ｔ１，Ｔ２，Ｔ３  厚さ、Ｌ１  間隔（距離）、Ｒ１１，Ｒ１２，Ｒ２１，Ｒ２２  発光領域、Ｒ１３，Ｒ２３，Ｒ３０  非発光領域、ｄ，ｄｚ，ｅ，ｅ１，ｅ２，ｅｚ  光強度線。
【図１】
0005888072.tif 000002
【図２】
0005888072.tif 000003
【図３】
0005888072.tif 000004
【図４】
0005888072.tif 000005
【図５】
0005888072.tif 000006
【図６】
0005888072.tif 000007
【図７】
0005888072.tif 000008